(57)【要約】【課題】  自動運転車両への乗車を希望するユーザに対する入力操作の負担を軽減する。【解決手段】  本発明の一実施形態に係る自動運転車両管理システム１は、自動運転車両５０を管理するためのシステムであって、ユーザによる所定の操作に応じて所定のビーコン信号を発信するように構成されたビーコン装置１０と、当該所定のビーコン信号を受信可能なユーザ端末２０と、当該ユーザ端末２０と通信可能に接続されると共に自動運転車両５０を制御するように構成された自動運転車両管理サーバ３０と、を備え、ユーザ端末２０は、所定のビーコン信号の受信に応じて、サーバ３０に対して所定の情報を送信するように構成されており、当該サーバ３０は、当該所定の情報の受信に応じて、自動運転車両５０を停車させるように構成されている。【選択図】  図１
2019159725.tif 000002
【特許請求の範囲】
【請求項１】
自動運転車両を管理するためのシステムであって、
ユーザによる所定の操作に応じて所定のビーコン信号を発信するように構成された第１の装置と、
前記所定のビーコン信号を受信可能な第２の装置と、
前記第２の装置と通信可能に接続されると共に前記自動運転車両を制御するように構成された第３の装置と、を備え、
前記第２の装置は、前記所定のビーコン信号の受信に応じて、前記第３の装置に対して所定の情報を送信するように構成されており、
前記第３の装置は、前記所定の情報の受信に応じて、前記自動運転車両を停車させるように構成されている、
システム。
【請求項２】
前記所定の操作は、前記第１の装置が有する物理ボタンを押す操作を含む、
請求項１のシステム。
【請求項３】
前記第２の装置は、前記ユーザによって携帯される、
請求項１又は２のシステム。
【請求項４】
前記所定の情報は、前記第２の装置の位置情報を含み、
前記第３の装置は、前記所定の情報に含まれる前記第２の装置の位置情報に基づいて前記自動運転車両の停車位置を決定するように構成されている、
請求項３のシステム。
【請求項５】
前記第２の装置は、複数の前記第２の装置が前記自動運転車両の運行エリアに配置されている、
請求項１又は２のシステム。
【請求項６】
前記所定の情報は、前記所定のビーコン信号の受信信号強度を含み、
前記第３の装置は、１又は複数の前記第２の装置の各々から受信した前記所定の情報に含まれる前記所定のビーコン信号の受信信号強度に少なくとも基づいて前記自動運転車両の停車位置を決定するように構成されている、
請求項５のシステム。
【請求項７】
自動運転車両を管理するための方法であって、
第１の装置が、ユーザによる所定の操作に応じて所定のビーコン信号を発信するステップと、
前記所定のビーコン信号を受信可能な第２の装置が、前記所定のビーコン信号の受信に応じて、前記第２の装置と通信可能に接続されると共に前記自動運転車両を制御するように構成された第３の装置に対して所定の情報を送信するステップと、
前記第３の装置が、前記所定の情報の受信に応じて、前記自動運転車両を停車させるステップと、を備える、
方法。
【請求項８】
自動運転車両を管理するためのシステムであって、
ユーザによる所定の操作に応じて所定のビーコン信号を発信するように構成された第１の装置と、
前記自動運転車両に搭載され、前記所定のビーコン信号を受信可能であると共に前記自動運転車両を制御するように構成された第２の装置と、を備え、
前記第２の装置は、前記所定のビーコン信号の受信に応じて、前記自動運転車両を停車させるように構成されている、
システム。
【請求項９】
自動運転車両を管理するための方法であって、
第１の装置が、ユーザによる所定の操作に応じて所定のビーコン信号を発信するステップと、
前記自動運転車両に搭載され、前記所定のビーコン信号を受信可能であると共に前記自動運転車両を制御するように構成された第２の装置が、前記所定のビーコン信号の受信に応じて、前記自動運転車両を停車させるステップと、を備える、
方法。
【発明の詳細な説明】
【技術分野】
【０００１】
本発明は、自動運転車両を管理するためのシステム及び方法に関するものである。
【背景技術】
【０００２】
従来、自動運転車両を管理するための技術が提案されている（例えば、下記特許文献１を参照）。例えば、所定のルートを運行する自動運転車両を複数のユーザが共用する乗り合いバス等のサービスにおいては、乗車を希望するユーザが居る場所（例えば、停留所のような予め定められた場所、又は、ルート上の任意の場所等）において自動運転車両を停車させるための制御が必要となる。この場合の自動運転車両の制御としては、例えば、スマートフォン等のユーザ端末を介してユーザによって乗車希望が入力されると、当該ユーザが居る場所において自動運転車両を停車させ、又は、ユーザ端末を介して入力された乗車希望場所において自動運転車両を停車させるような制御が考えられる。
【先行技術文献】
【特許文献】
【０００３】
【特許文献１】特開２０１８−０１８３８９号公報
【発明の概要】
【発明が解決しようとする課題】
【０００４】
しかしながら、上述したようなユーザ端末に対する入力操作を前提とした仕組みが適切とは言えないユーザも存在し得る。例えば、幼い子供及び高齢者、或いは、手袋を装着し又は荷物を持っているユーザ等にとっては、ユーザ端末に対する複雑な入力操作は負担となり得る。
【０００５】
本発明の実施形態は、自動運転車両への乗車を希望するユーザに対する入力操作の負担を軽減することを目的の一つとする。本発明の実施形態の他の目的は、本明細書全体を参照することにより明らかとなる。
【課題を解決するための手段】
【０００６】
本発明の一実施形態に係るシステムは、自動運転車両を管理するためのシステムであって、ユーザによる所定の操作に応じて所定のビーコン信号を発信するように構成された第１の装置と、前記所定のビーコン信号を受信可能な第２の装置と、前記第２の装置と通信可能に接続されると共に前記自動運転車両を制御するように構成された第３の装置と、を備え、前記第２の装置は、前記所定のビーコン信号の受信に応じて、前記第３の装置に対して所定の情報を送信するように構成されており、前記第３の装置は、前記所定の情報の受信に応じて、前記自動運転車両を停車させるように構成されている。
【０００７】
本発明の一実施形態に係る方法は、自動運転車両を管理するための方法であって、第１の装置が、ユーザによる所定の操作に応じて所定のビーコン信号を発信するステップと、前記所定のビーコン信号を受信可能な第２の装置が、前記所定のビーコン信号の受信に応じて、前記第２の装置と通信可能に接続されると共に前記自動運転車両を制御するように構成された第３の装置に対して所定の情報を送信するステップと、前記第３の装置が、前記所定の情報の受信に応じて、前記自動運転車両を停車させるステップと、を備える。
【０００８】
本発明の他の実施形態に係るシステムは、自動運転車両を管理するためのシステムであって、ユーザによる所定の操作に応じて所定のビーコン信号を発信するように構成された第１の装置と、前記自動運転車両に搭載され、前記所定のビーコン信号を受信可能であると共に前記自動運転車両を制御するように構成された第２の装置と、を備え、前記第２の装置は、前記所定のビーコン信号の受信に応じて、前記自動運転車両を停車させるように構成されている。
【０００９】
本発明の他の実施形態に係る方法は、自動運転車両を管理するための方法であって、第１の装置が、ユーザによる所定の操作に応じて所定のビーコン信号を発信するステップと、前記自動運転車両に搭載され、前記所定のビーコン信号を受信可能であると共に前記自動運転車両を制御するように構成された第２の装置が、前記所定のビーコン信号の受信に応じて、前記自動運転車両を停車させるステップと、を備える。
【発明の効果】
【００１０】
本発明の様々な実施形態は、自動運転車両への乗車を希望するユーザに対する入力操作の負担を軽減する。
【図面の簡単な説明】
【００１１】
【図１】本発明の第１の実施形態に係る自動運転車両管理システム１の構成を概略的に示す構成図。
【図２】ビーコン装置１０の外観を例示する外観図。
【図３】自動運転車両管理サーバ３０と車両制御装置５１及び情報表示装置５３との間で行われる通信を説明するための図。
【図４】第１の実施形態において、ビーコン装置１０、ユーザ端末２０、及び自動運転車両管理サーバ３０の間で行われる通信を例示するシーケンス図。
【図５】本発明の第２の実施形態に係る自動運転車両管理システム１Ａの構成を概略的に示す構成図。
【図６】第２の実施形態において、ビーコン装置１０、設置端末２０Ａ、及び自動運転車両管理サーバ３０の間で行われる通信を例示するシーケンス図。
【図７】第２の実施形態において、ビーコン信号の受信信号強度に基づいてビーコン装置１０の位置を判定する方法を説明するための図。
【図８】本発明の第３の実施形態に係る自動運転車両管理システム１Ｂの構成を概略的に示す構成図。
【図９】第３の実施形態において、ビーコン装置１０、及び、車載端末２０Ｂの間で行われる通信を例示するシーケンス図。
【発明を実施するための形態】
【００１２】
以下、図面を参照しながら、本発明の実施形態について説明する。
【００１３】
図１は、本発明の第１の実施形態に係る自動運転車両管理システム１の構成を概略的に示す構成図である。システム１は、図示するように、ユーザによって携帯されると共にビーコン信号を発信可能なビーコン装置１０と、同じくユーザによって携帯されると共にビーコン信号を受信可能なユーザ端末２０と、当該ユーザ端末２０と通信ネットワーク４０を介して通信可能に接続されている自動運転車両管理サーバ３０とを備える。サーバ３０は、通信ネットワーク４０を介して、自動運転車両５０に搭載されている車両制御装置５１及び情報表示装置５３と通信可能に接続されている。
【００１４】
本実施形態における自動運転車両管理システム１は、特定の施設において所定の走行ルートを運行する１又は複数の自動運転車両５０を管理する。特定の施設は、例えば、動物園及び遊園地等のアミューズメント施設、各種プラント施設、又は、その他の施設が含まれる。車両５０は、例えば、特定の施設のユーザが利用する乗り合いバスである。
【００１５】
図２は、本実施形態におけるビーコン装置１０の外観を例示する外観図である。図２に例示されるビーコン装置１０は、略板状の本体部１１と、当該本体部１１の一方の面に露出するように設けられた円板状の物理ボタン１２とを有する。ビーコン装置１０は、物理ボタン１２がユーザによって押されると、ビーコン信号を発信するように構成されている。ビーコン信号は、例えば、ＢＬＥ（Ｂｌｕｅｔｏｏｔｈ（登録商標）  Ｌｏｗ  Ｅｎｅｒｇｙ）の無線信号（電波）として構成される。なお、図２に例示したビーコン装置１０の外観は例示であって、本発明の実施形態におけるビーコン装置１０の外観及び形状等はこれに限定されない。
【００１６】
ユーザ端末２０は、一般的なコンピュータとしての構成を有し、例えば、スマートフォン、ウェアラブル端末、タブレット端末等として構成される。
【００１７】
自動運転車両管理サーバ３０は、一般的なコンピュータとしての構成を有し、自動運転車両５０に搭載されている車両制御装置５１を介して自動運転車両５０の走行を制御し、また、同じく自動運転車両５０に搭載されている情報表示装置５３における情報の表示を制御する。
【００１８】
図３は、自動運転車両管理サーバ３０と、車両制御装置５１及び情報表示装置５３との間で行われる通信を説明するための図である。図示するように、車両制御装置５１からサーバ３０に対して、車両５０の車両状況情報が送信される。当該車両状況情報は、時刻毎の車両５０の状況を示す情報であり、例えば、位置、速度、及び方角等が含まれる。
【００１９】
また、図３に示すように、自動運転車両管理サーバ３０から車両制御装置５１に対して、車両制御情報が送信される。当該車両制御情報は、車両制御装置５１による車両５０の自動運転制御を行うための情報であり、例えば、走行ルートに関する情報（停車位置を含む。）が含まれる。サーバ３０は、例えば、予め定められている走行ルートに従って車両５０が走行するように車両制御装置５１に対して車両制御情報を適宜に送信する。また、図示するように、サーバ３０から情報表示装置５３に対して、情報の表示を制御するための表示装置制御情報が送信される。
【００２０】
情報表示装置５３は、自動運転車両５０の外部に向けて情報を表示するように当該車両５０に搭載されており、例えば、無線通信機能を有するＬＥＤ電光掲示板等として構成される。情報表示装置５３は、例えば、右左折、並びに、減速及び停車に関して注意を喚起するための情報等が表示される。
【００２１】
本実施形態において、自動運転車両５０への乗車を希望するユーザは、ビーコン装置１０を用いて当該車両５０の停車を要求することができる。図４は、ユーザが携帯するビーコン装置１０及びユーザ端末２０、並びに、自動運転車両管理サーバ３０の間で行われる通信を例示するシーケンス図である。まず、ビーコン装置１０の物理ボタン１２がユーザによって押されると、ビーコン装置１０は、ビーコン信号を発信する（ステップＳ１００）。当該ビーコン信号は、個別のビーコン装置１０を識別する装置ＩＤを含んでいる。当該装置ＩＤは、例えば、ビーコン装置１０が有するメモリ等に格納されている。
【００２２】
特定のユーザによって携帯されるビーコン装置１０がビーコン信号を発信すると、同じく特定のユーザによって携帯されるユーザ端末２０がビーコン信号を受信する。ユーザ端末２０は、典型的には、ユーザの衣服のポケットの内部、又は、鞄の内部等に収納されている。
【００２３】
そして、ビーコン信号を受信したユーザ端末２０は、自動運転車両管理サーバ３０に対して停車要求情報を送信する（ステップＳ１１０）。停車要求情報は、ビーコン装置１０の装置ＩＤ、及び、ユーザ端末２０の位置情報を含んでおり、自動運転車両５０の停車要求（配車要求）を行うためのアプリケーションを介してサーバ３０に送信される。当該アプリケーションは、ユーザ端末２０に予めインストールされており、ビーコン信号の受信に応じて起動され得る。ユーザ端末２０の位置情報は、ユーザ端末２０が有するＧＰＳ受信機等によって取得される。
【００２４】
そして、停車要求情報を受信した自動運転車両管理サーバ３０は、停車要求情報に含まれる装置ＩＤを照合し（ステップＳ１２０）、自動運転車両５０の停車位置を決定する（ステップＳ１３０）。装置ＩＤの照合では、具体的には、停車要求情報に含まれる装置ＩＤが、サーバ３０が予め管理している複数の装置ＩＤに含まれていることを確認する。また、車両５０の停車位置は、具体的には、停車要求情報に含まれる位置情報に基づいて決定される。例えば、当該位置情報が示す位置から最も近い走行ルート上の位置、又は、停留所の位置が、車両５０の停車位置として決定される。
【００２５】
停車位置が決定されると、自動運転車両管理サーバ３０は、決定された停車位置で自動運転車両５０が停車するように、車両制御装置５１に対して車両制御情報を送信する（ステップＳ１４０）。車両５０は、車両制御装置５１によって、決定された停車位置で停車するように制御される。
【００２６】
以上説明した第１の実施形態に係る自動運転車両管理システム１は、ユーザによる所定の操作（物理ボタン１２を押す操作）に応じて所定のビーコン信号を発信するように構成されたビーコン装置（第１の装置）１０と、当該所定のビーコン信号を受信可能なユーザ端末（第２の装置）２０と、当該ユーザ端末２０と通信可能に接続されると共に自動運転車両５０を（車両制御装置５１を介して）制御するように構成された自動運転車両管理サーバ（第３の装置）３０と、を備え、ユーザ端末２０は、所定のビーコン信号の受信に応じて、自動運転車両管理サーバ３０に対して車両停車要求（所定の情報）を送信するように構成されており、自動運転車両管理サーバ３０は、車両停車要求の受信に応じて、自動運転車両５０を停車させるように構成されている。このように、本実施形態に係る自動運転車両管理システム１において、ユーザは、ビーコン装置１０の物理ボタン１２を押すという簡易な操作で自動運転車両５０を停車させることができるから、自動運転車両５０への乗車を希望するユーザに対する入力操作の負担が軽減される。
【００２７】
図５は、本発明の第２の実施形態に係る自動運転車両管理システム１Ａの構成を概略的に示す構成図である。自動運転車両管理システム１Ａは、上述した第１の実施形態に係る自動運転車両管理システム１と同様に、ビーコン装置１０と、自動運転車両管理サーバ３０とを備える。また、第２の実施形態に係るシステム１Ａは、第１の実施形態におけるユーザ端末２０に代えて、設置端末２０Ａを備えている。当該設置端末２０Ａは、ビーコン装置１０が発信するビーコン信号を受信可能であると共に自動運転車両管理サーバ３０と通信可能に接続されている。また、複数の設置端末２０Ａが、自動運転車両５０の運行エリア（例えば、走行ルートに沿った位置）に配置されている。さらに、第１の実施形態と同様に、サーバ３０は、通信ネットワーク４０を介して、自動運転車両５０に搭載されている車両制御装置５１及び情報表示装置５３と通信可能に接続されている。
【００２８】
設置端末２０Ａは、一般的なコンピュータとしての構成を有し、例えば、スマートフォン、ウェアラブル端末、タブレット端末、サーバ装置等として構成される。
【００２９】
図６は、ユーザが携帯するビーコン装置１０、運行エリアに配置されている複数の設置端末２０Ａ、及び、自動運転車両管理サーバ３０の間で行われる通信を例示するシーケンス図である。まず、ビーコン装置１０の物理ボタン１２がユーザによって押されると、ビーコン装置１０は、ビーコン信号を発信する（ステップＳ２００）。当該ビーコン信号は、個別のビーコン装置１０を識別する装置ＩＤを含んでいる。当該装置ＩＤは、例えば、ビーコン装置１０が有するメモリ等に格納されている。
【００３０】
特定のユーザによって携帯されるビーコン装置１０がビーコン信号を発信すると、当該特定のユーザの位置からビーコン信号の通信範囲内（例えば、半径数十メートルの範囲内）に配置されている１又は複数の設置端末２０Ａがビーコン信号を受信する。そして、ビーコン信号を受信した設置端末２０Ａは、自動運転車両管理サーバ３０に対して停車要求情報を送信する（ステップＳ２１０）。停車要求情報は、個別の設置端末２０Ａを識別する端末ＩＤ、ビーコン装置１０の装置ＩＤ、及び、受信したビーコン信号の受信信号強度（ＲＳＳＩ）を含んでおり、自動運転車両５０の停車要求（配車要求）を行うためのアプリケーションを介してサーバ３０に送信される。当該アプリケーションは、設置端末２０Ａに予めインストールされており、ビーコン信号の受信に応じて起動され得る。
【００３１】
そして、１又は複数の設置端末２０Ａから１又は複数の停車要求情報を受信した自動運転車両管理サーバ３０は、各停車要求情報に含まれる装置ＩＤを照合する（ステップＳ２２０）。装置ＩＤの照合では、具体的には、停車要求情報に含まれる装置ＩＤが、サーバ３０が予め管理している複数の装置ＩＤに含まれていることを確認する。
【００３２】
続いて、自動運転車両管理サーバ３０は、ビーコン装置１０の位置を判定する（ステップＳ２２５）。具体的には、特定のビーコン装置１０のビーコン信号を受信した設置端末２０Ａの位置、及び、当該設置端末２０Ａにおけるビーコン信号の受信信号強度に基づいて、特定のビーコン装置１０の位置が判定される。特定のビーコン装置１０に関する停車要求情報は、当該停車要求情報に含まれる装置ＩＤによって特定される。なお、複数の設置端末２０Ａの各々の設置位置は、自動運転車両管理サーバ３０において予め管理されている。
【００３３】
例えば、図７に示すように、走行ルートＲに沿って配置されている３つの設置端末２０Ａａ、２０Ａｂ、２０Ａｃが、ビーコン装置１０ａからのビーコン信号を受信した場合、設置端末２０Ａａ、２０Ａｂ、２０Ａｃの各々におけるビーコン信号の受信信号強度、及び、これらの設置端末２０Ａａ、２０Ａｂ、２０Ａｃの設置位置に基づいて、ビーコン装置１０ａの位置が判定される。
【００３４】
そして、自動運転車両管理サーバ３０は、自動運転車両５０の停車位置を決定する（ステップＳ２３０）。車両５０の停車位置は、具体的には、ステップＳ２２５において判定されたビーコン装置１０の位置に基づいて決定される。例えば、判定されたビーコン装置１０の位置から最も近い走行ルート上の位置、又は、停留所の位置が車両５０の停車位置として決定される。停車位置が決定されると、自動運転車両管理サーバ３０は、決定された停車位置で自動運転車両５０が停車するように、車両制御装置５１に対して車両制御情報を送信する（ステップＳ２４０）。車両５０は、車両制御装置５１によって、決定された停車位置で停車するように制御される。
【００３５】
以上説明した第２の実施形態に係る自動運転車両管理システム１Ａは、ユーザによる所定の操作（物理ボタン１２を押す操作）に応じて所定のビーコン信号を発信するように構成されたビーコン装置（第１の装置）１０と、当該所定のビーコン信号を受信可能な設置端末（第２の装置）２０Ａと、当該設置端末２０Ａと通信可能に接続されると共に自動運転車両５０を（車両制御装置５１を介して）制御するように構成された自動運転車両管理サーバ３０（第３の装置）と、を備え、設置端末２０Ａは、所定のビーコン信号の受信に応じて、自動運転車両管理サーバ３０に対して車両停車要求（所定の情報）を送信するように構成されており、自動運転車両管理サーバ３０は、車両停車要求の受信に応じて、自動運転車両５０を停車させるように構成されている。このように、本実施形態に係る自動運転車両管理システム１Ａにおいて、ユーザは、ビーコン装置１０の物理ボタン１２を押すという簡易な操作で自動運転車両５０を停車させることができるから、自動運転車両５０への乗車を希望するユーザに対する入力操作の負担が軽減される。
【００３６】
図８は、本発明の第３の実施形態に係る自動運転車両管理システム１Ｂの構成を概略的に示す構成図である。自動運転車両管理システム１Ｂは、上述した第１及び第２の実施形態に係る自動運転車両管理システム１、１Ａと同様に、ビーコン装置１０を備える。本実施形態において、ビーコン装置１０は、ユーザによって携帯され、又は、自動運転車両５０の運行エリア（例えば、走行ルートに沿った位置）に配置され得る。
【００３７】
また、第３の実施形態に係るシステム１Ｂは、第１の実施形態におけるユーザ端末２０、及び、第２の実施形態における設置端末２０Ａに代えて、自動運転車両５０に搭載された車載端末２０Ｂを備えている。当該車載端末２０Ｂは、自動運転車両５０に搭載されている車両制御装置５１及び情報表示装置５３と通信可能に接続されている。車載端末２０Ｂは、第１及び第２の実施形態における自動運転車両管理サーバ３０と同様に、車両制御装置５１を介して自動運転車両５０の走行を制御し、また、情報表示装置５３における情報の表示を制御する。
【００３８】
車載端末２０Ｂは、一般的なコンピュータとしての構成を有し、例えば、スマートフォン、ウェアラブル端末、タブレット端末、サーバ装置等として構成される。
【００３９】
図９は、ビーコン装置１０、及び、車載端末２０Ｂの間で行われる通信を例示するシーケンス図である。まず、ビーコン装置１０の物理ボタン１２がユーザによって押されると、ビーコン装置１０は、ビーコン信号を発信する（ステップＳ３００）。当該ビーコン信号は、個別のビーコン装置１０を識別する装置ＩＤを含んでいる。当該装置ＩＤは、例えば、ビーコン装置１０が有するメモリ等に格納されている。
【００４０】
ビーコン装置１０がビーコン信号を発信すると、当該ビーコン装置１０の位置からビーコン信号の通信範囲内（例えば、半径数十メートルの範囲内）に位置する車載端末２０Ｂがビーコン信号を受信する。そして、ビーコン信号を受信した車載端末２０Ｂは、ビーコン信号に含まれる装置ＩＤを照合する（ステップＳ３２０）。装置ＩＤの照合では、具体的には、ビーコン信号に含まれる装置ＩＤが、車載端末２０Ｂが予め管理している複数の装置ＩＤに含まれていることを確認する。
【００４１】
続いて、車載端末２０Ｂは、自動運転車両５０が停車するように、車両制御装置５１に対して車両制御情報を送信する（ステップＳ３４０）。車両５０は、車両制御装置５１によって、（直ちに）停車するように制御される。
【００４２】
以上説明した第３の実施形態に係る自動運転車両管理システム１Ｂは、ユーザによる所定の操作（物理ボタン１２を押す操作）に応じて所定のビーコン信号を発信するように構成されたビーコン装置（第１の装置）１０と、自動運転車両５０に搭載され、当該所定のビーコン信号を受信可能であると共に当該車両５０を（車両制御装置５１を介して）制御するように構成された車載端末（第２の装置）２０Ｂと、を備え、車載端末２０Ｂは、所定のビーコン信号の受信に応じて、自動運転車両５０を停車させるように構成されている。このように、本実施形態に係る自動運転車両管理システム１Ｂにおいて、ユーザは、ビーコン装置１０の物理ボタン１２を押すという簡易な操作で自動運転車両５０を停車させることができるから、自動運転車両５０への乗車を希望するユーザに対する入力操作の負担が軽減される。
【００４３】
上述した各実施形態では、自動運転車両５０が特定の施設における所定の走行ルートを運行するようにしたが、本発明の実施形態における車両５０は、こうした施設等の私道を走行するものに限定されない。つまり、本発明の実施形態は、例えば、公道を走行する自動運転車両５０を管理するように構成され得る。
【００４４】
上述した各実施形態では、ビーコン装置１０は、ビーコン信号を発信するための物理ボタン１２を有するように構成されているが、本発明の他の実施形態におけるビーコン装置は、物理ボタンを有しておらず、物理ボタンを押すという操作以外の操作に応じてビーコン信号を発信するように構成され得る。
【００４５】
上述した各実施形態において、自動運転車両５０の停車前に、情報表示装置５３において、停車する旨が表示されるようにしても良い。又は、自動運転車両５０の停車前において、所定の報知（例えば、ライトを点滅させる等）が行われるように、車両制御装置５１を介して車両５０を制御するようにしても良い。
【００４６】
上述した第１及び第２の実施形態において、自動運転車両管理サーバ３０が自動運転車両５０の位置情報を定期的に取得して管理するようにし、ユーザ端末２０／設置端末２０Ａからの停車要求情報を受信したサーバ３０が、ユーザ（ユーザ端末２０／ビーコン装置１０）及び自動運転車両５０の位置関係に基づいて、当該車両５０の停車の可否を判定する（例えば、ユーザと車両５０との間の距離が所定値より大きい（遠い）場合には停車しない等）ようにしても良い。同様に、サーバ３０において、車両５０の車内状況（乗客の人数又は混雑状態等）を定期的に取得して管理するようにし、ユーザ端末２０／設置端末２０Ａからの停車要求情報を受信したサーバ３０が、車両５０の車内状況に基づいて、当該車両５０の停車の可否を判定する（例えば、乗客の人数が定員オーバーである場合には停車しない等）ようにしても良い。
【００４７】
上述した第１及び第２の実施形態において、自動運転車両管理サーバ３０が走行ルート上（地図上）の停車可能領域（又は、停車禁止領域）を予め記憶するようにし、当該停車可能領域に含まれるように（又は、当該停車禁止領域に含まれないように）、自動運転車両５０の停車位置を決定するようにしても良い。
【００４８】
本明細書で説明された処理及び手順は、明示的に説明されたもの以外にも、ソフトウェア、ハードウェアまたはこれらの任意の組み合わせによって実現される。例えば、本明細書で説明される処理及び手順は、集積回路、揮発性メモリ、不揮発性メモリ、磁気ディスク等の媒体に、当該処理及び手順に相当するロジックを実装することによって実現される。また、本明細書で説明された処理及び手順は、当該処理・手順に相当するコンピュータプログラムとして実装し、各種のコンピュータに実行させることが可能である。
【００４９】
本明細書中で説明された処理及び手順が単一の装置、ソフトウェア、コンポーネント、モジュールによって実行される旨が説明されたとしても、そのような処理または手順は複数の装置、複数のソフトウェア、複数のコンポーネント、及び／又は複数のモジュールによって実行され得る。また、本明細書において説明されたソフトウェアおよびハードウェアの要素は、それらをより少ない構成要素に統合して、またはより多い構成要素に分解することによって実現することも可能である。
【００５０】
本明細書において、発明の構成要素が単数もしくは複数のいずれか一方として説明された場合、又は、単数もしくは複数のいずれとも限定せずに説明された場合であっても、文脈上別に解すべき場合を除き、当該構成要素は単数又は複数のいずれであってもよい。
【符号の説明】
【００５１】
１、１Ａ、１Ｂ  自動運転車両管理システム
１０  ビーコン装置（第１の装置）
１２  物理ボタン
２０  ユーザ端末（第２の装置）
２０Ａ  設置端末（第２の装置）
２０Ｂ  車載端末（第２の装置）
３０  自動運転車両管理サーバ（第３の装置）
５０  自動運転車両
５１  車両制御装置
５３  情報表示装置
【図１】
2019159725.tif 000003
【図２】
2019159725.tif 000004
【図３】
2019159725.tif 000005
【図４】
2019159725.tif 000006
【図５】
2019159725.tif 000007
【図６】
2019159725.tif 000008
【図７】
2019159725.tif 000009
【図８】
2019159725.tif 000010
【図９】
2019159725.tif 000011